(57)【特許請求の範囲】
【請求項１】
壁および天井を中空パネルで構成し、室内の空気を供給および排出する空調手段と、前記中空パネル内から空気を排出して当該中空パネル内を陰圧に維持する中空パネル排気手段と、を備えるクリーンルームの天井面に取り付けられる照明器具であって、
発光する発光部と、当該発光部が収容される筐体と、を備え、
当該筐体の下面には、透光性の高い透光部が設けられ、
前記筐体の透光部以外の部分は、ステンレス製であり、
前記筐体の高さ方向の厚みは、前記中空パネルの厚みよりも大きく、
前記中空パネルの天井裏側のパネル材は、前記筐体の側面に接合され、
当該筐体と天井裏側のパネル材との接合部分には、気密処理が施されていることを特徴とする照明器具。
【請求項２】
前記筐体の上面には、フックを有しかつ前記発光部を支持する蓋部が着脱可能に設けられ、
前記照明器具を躯体から支持する吊りボルトには、前記蓋部のフックが係止されるための水平部材が設けられることを特徴とする請求項１に記載の照明器具。
【発明の詳細な説明】
【技術分野】
【０００１】
本発明は、照明器具に関する。詳しくは、壁および天井を中空パネルで構成したクリーンルームに取り付けられる照明器具に関する。
【背景技術】
【０００２】
従来より、製剤工場、研究所等のハザード物質を封じ込めるクリーンルームにおいては、内部の化学汚染物質等が他室に流出するのを防止するために、壁や天井を中空パネルで構成し、この中空パネルに排気装置を接続して、中空パネルをハザードバリアとして中空パネル内部を陰圧とする方式が提案されている（特許文献１参照）。
【０００３】
このクリーンルームの天井面に取り付けられる照明器具は、例えば以下の２種類がある。
第１の照明器具１００は、図４に示すように、ランプ１０１が設けられた発光部１０２と、この発光部１０２を収容する鋼製の筐体１０３と、を備える。この筐体１０３の下面部分つまり室内側の部分は、下方に向かってスライド可能な下面パネル１０４である。この第１の照明器具１００によれば、下面パネル１０４を下方にスライドさせて、この状態で、クリーンルーム側からランプ１０１を交換したりメンテナンスを行ったりする。
【０００４】
第２の照明器具１１０は、図５に示すように、ランプ１１１が設けられた発光部１１２と、この発光部１１２を収容する鋼製の筐体１１３と、を備える。この筐体１１３の上面の部分は、開閉可能な上面パネル１１４となっている。この第２の照明器具１１０によれば、上面パネル１１４を開いて、この状態で、天井裏側からランプ１１１を交換したりメンテナンスを行ったりする。
【先行技術文献】
【特許文献】
【０００５】
【特許文献１】特開２００８−３９２２９号公報
【発明の概要】
【発明が解決しようとする課題】
【０００６】
しかしながら、照明器具では、筐体が鋼製であるため、過酸化水素等で燻蒸すると、錆が発生し、クリーンルーム内が汚染されるおそれがあった。
【０００７】
本発明は、錆の発生を抑制できる照明器具を提供することを目的とする。
【課題を解決するための手段】
【０００８】
請求項１に記載の照明器具は、壁および天井を中空パネルで構成し、室内の空気を供給および排出する空調手段と、前記中空パネル内から空気を排出して当該中空パネル内を陰圧に維持する中空パネル排気手段と、を備えるクリーンルームの天井面に取り付けられる照明器具であって、発光する発光部と、当該発光部が収容される筐体と、を備え、当該筐体の下面には、透光性の高い透光部が設けられ、前記筐体の透光部以外の部分は、ステンレス製であり、前記筐体の高さ方向の厚みは、前記中空パネルの厚みよりも大きく、前記中空パネルの天井裏側のパネル材は、前記筐体の側面に接合され、当該筐体と天井裏側のパネル材との接合部分には、気密処理が施されていることを特徴とする。
【０００９】
この発明によれば、照明器具の筐体の透光部以外の部分をステンレス製としたので、過酸化水素等で燻蒸しても錆が発生しにくくなるので、クリーンルーム内が汚染されるのを防止できる。
【００１０】
ここで、前記筐体の高さ方向の厚みは、前記中空パネルの厚みよりも大きく、前記筐体と前記中空パネルの天井裏側のパネル材との接合部分には、気密処理が施されていることを特徴とする。
【００１１】
従来の第２の照明器具では、上面パネルを開閉する際に、この上面パネルが中空パネルに干渉する場合があった。また、中空パネルの天井裏側のパネル材との気密処理がなされていないため、中空パネル内のハザード物質を含む空気が天井裏に漏洩し、ハザード物質が天井裏に暴露するおそれがあった。
【００１２】
この発明によれば、筐体の高さ方向の厚みを中空パネルの厚みよりも大きくして、筐体と少なくとも天井裏側のパネル材との接合部分に気密処理を施したので、筐体を開閉しても中空パネルに干渉することがないうえに、中空パネル内のハザード物質が天井裏の空間に漏れるのを防止できる。
また、筐体の上端側が天井裏に突出するため、この筐体の上面を開閉することにより、ハザードエリア外である天井裏の空間からランプを交換したり、メンテナンスしたりでき、安全性を向上できる。
【００１３】
請求項２に記載の照明器具は、前記筐体の上面には、フックを有しかつ前記発光部を支持する蓋部が着脱可能に設けられ、前記照明器具を躯体から支持する吊りボルトには、前記蓋部のフックが係止されるための水平部材が設けられることを特徴とする。
【００１４】
従来の第１の照明器具では、ランプ交換時やメンテナンス時に下面パネルを室内側にスライドさせるため、筐体の内部にハザード物質が付着したり、ランプに塵埃が付着したりするおそれがあった。
また、ランプの交換時は、安全対策として作業員がエアラインスーツ等を着用したり、高所作業となるため作業員が脚立を使用したりする等、作業性が低下する、という問題があった。
また、交換後のランプは、ハザード物質が付着しているものとして扱う必要があるため、ランプの廃棄方法が特殊となり、廃棄費用が高くなっていた。
【００１５】
この発明によれば、以下の手順で発光部のランプを交換する。まず、天井裏側から蓋部を取り外すことにより、発光部を引き上げる。その後、蓋部のフックを水平部材に係止して蓋部を取り外した状態を維持し、この状態で、ランプを交換する。
よって、天井裏側から蓋部を取り外すだけでランプを交換できるので、筐体の内部にハザード物質が付着したり、ランプに塵埃が付着したりするのを防止できるうえに、作業性が低下するのを防止できる。さらに、ランプの廃棄費用も低コストとなる。
また、蓋部のフックを水平部材に係止することで、蓋部を取り外した状態を維持できるから、作業員の手間を削減できる。
【発明の効果】
【００１６】
本発明によれば、照明器具の筐体の透光部以外の部分をステンレス製としたので、過酸化水素等で燻蒸しても錆が発生しにくくなるので、クリーンルーム内が汚染されるのを防止できる。
【図面の簡単な説明】
【００１７】
【図１】本発明の一実施形態に係る照明器具が適用された建物の断面図である。
【図２】前記実施形態に係る照明器具の断面図である。
【図３】前記実施形態に係る照明器具の蛍光管を交換する手順を説明するための図である。
【図４】第１の従来例に係る照明器具の蛍光管を交換する手順を説明するための図である。
【図５】第２の従来例に係る照明器具の蛍光管を交換する手順を説明するための図である。
【発明を実施するための形態】
【００１８】
以下、本発明の一実施形態について、図面を参照しながら説明する。
図１は、本発明の一実施形態に係る照明器具１４が適用された建物１の断面図である。
建物１の内部には、壁１１および天井１２を中空パネル１３で構成したクリーンルーム１０と、このクリーンルーム１０を空調する空調システム２０と、が設けられている。
建物１の内部空間のうちクリーンルーム１０の外部の空間は、周囲空間３０となっている。また、クリーンルーム１０の天井面には、複数の照明器具１４が設けられている。
【００１９】
空調システム２０は、クリーンルーム１０内に空気を供給する空調手段としての給気装置２１と、クリーンルーム１０内から空気を排出する排気装置２２と、中空パネル１３内から空気を排出する中空パネル排気手段としての中空パネル排気装置２３と、給気装置２１および排気装置２２を制御する制御装置２４と、を備える。
【００２０】
給気装置２１は、クリーンルーム１０の天井１２に設けられた吹出口２１１と、この吹出口２１１に接続された配管２１２と、配管２１２に空気を供給する外気処理ユニット２１３と、を備える。外気処理ユニット２１３は、工場の用途等に応じて仕様が変更される。具体的には、最も簡易な構成とする場合には、新鮮空気のみを供給する給気ファンのみとなり、次いで、温湿度の制御機能を備えたユニットとなり、さらにクリーンルームの場合には、屋外汚染物質の除去機能を強化したユニットとなる。
各吹出口２１１には、必要に応じてフィルタを設ける。例えば、クリーンルームの場合には、ＨＥＰＡフィルタが設けられる。
【００２１】
排気装置２２は、クリーンルーム１０の壁１１に設けられた吸込口２２１と、この吸込口２２１に接続された配管２２２と、配管２２２内の空気を排出する排気ファン２２３と、を備える。排気ファン２２３には、排気する空気の成分により、必要に応じてフィルタが設けられる。
【００２２】
中空パネル排気装置２３は、クリーンルーム１０の天井１２を構成する中空パネル１３に接続された配管２３１と、配管２３１内の空気を排出する排気ファン２３２と、を備える。排気ファン２３２は、中空パネル１３内が所定圧力に維持されるように、内部圧力をモニタリングして、風量を制御する。具体的には、排気ファン２３２は、中空パネル１３内を陰圧に維持しており、これにより、クリーンルーム１０内のハザード物質は、中空パネル１３および配管２３１を通って排出される。また、排気ファン２３２には、排気する空気の成分により、必要に応じてフィルタが設けられる。
【００２３】
制御装置２４は、給気装置２１の外気処理ユニット２１３および排気装置２２の排気ファン２２３を駆動して、クリーンルーム１０内を周囲空間３０と同じ大気圧とする。
【００２４】
図２は、照明器具１４の断面図である。
天井１２を構成する中空パネル１３は、一対のパネル材１３１、１３２で構成される。
照明器具１４は、中空パネル１３の内部に設けられており、この照明器具１４の下面は、クリーンルーム１０の内部に露出している。
また、この照明器具１４は、建物１の床躯体から吊りボルト１５により吊り下げ支持されている。この吊りボルト１５の途中には、水平方向に延びる棒状の水平部材１６が溶接固定されている。
【００２５】
照明器具１４は、発光する発光部４０と、この発光部４０を収容する筐体５０と、を備える。
発光部４０は、２本の蛍光管４１と、これら２本の蛍光管４１を支持するとともに上から覆うカバー部４２と、を備える。
【００２６】
筐体５０は、上下に延びる矩形筒状の本体５１と、この本体５１の上面に着脱可能な蓋部５２と、本体５１の下面に設けられた透光性の高いガラス製の透光部５３と、この透光部５３を囲んで設けられた枠状のカバー部５４と、を備える。
筐体５０の高さ方向の厚みは、中空パネル１３の厚みよりも大きくなっており、筐体５０の上端側は、天井裏に突出している。
【００２７】
筐体５０の透光部５３以外の部分、つまり、本体５１、蓋部５２、カバー部５４は、ステンレス製である。
蓋部５２は、フック５２１を備えており、この蓋部５２には、支持ボルト５２２を介して発光部４０が支持されている。
【００２８】
中空パネル１３の天井面側のパネル材１３１は、本体５１の下端側面に当接しており、この天井面側のパネル材１３１と本体５１の下端に位置するカバー部５４との接合部分は、シールにより気密処理が施されている。これにより、中空パネル１３内とクリーンルーム１０内との間で空気が流通するのを防止している。
また、中空パネル１３の天井裏側のパネル材１３２は、本体５１の上端側側面に当接しており、この天井裏側のパネル材１３２と本体５１との接合部分は、シールにより気密処理が施されている。これにより、中空パネル１３内と天井裏の空間との間で空気が流通するのを防止している。
【００２９】
以上の照明器具では、以下の手順で照明器具１４内の蛍光管４１を交換する。
まず、図３に示すように、作業員が天井裏の空間に入って、照明器具１４の蓋部５２を上方に引き上げる。すると、蓋部５２とともに蛍光管４１も引き上げられる。
次に、蓋部５２を水平に移動して、フック５２１を吊りボルト１５に固定された水平部材１６に係止して、蓋部５２を取り外した状態を維持する。
この状態で蛍光管４１を交換する。その後、蓋部を把持してフック５２１を水平部材１６から取り外し、筐体５０の本体５１に装着する。
【００３０】
本実施形態によれば、以下のような効果がある。
（１）照明器具１４の筐体５０の透光部５３以外の部分をステンレス製としたので、過酸化水素等で燻蒸しても錆が発生しにくくなるので、クリーンルーム１０内が汚染されるのを防止できる。
【００３１】
（２）筐体５０の高さ方向の厚みを中空パネル１３の厚みよりも大きくして、筐体５０と天井裏側のパネル材１３２との接合部分に気密処理を施したので、筐体５０の蓋部５２を開閉しても中空パネル１３が蓋部５２に干渉しないうえに、中空パネル１３内のハザード物質が天井裏の空間に漏れるのを防止できる。
また、筐体５０の上端側が天井裏に突出するため、この筐体５０の上面を開閉することにより、ハザードエリア外である天井裏の空間からランプを交換したり、メンテナンスしたりでき、安全性を向上できる。
【００３２】
（３）天井裏側から蓋部５２を取り外すだけで蛍光管４１を交換できるので、筐体５０の内部にハザード物質が付着したり、蛍光管４１に塵埃が付着したりするのを防止できるうえに、作業性が低下するのを防止できる。さらに、蛍光管４１の廃棄費用も低コストとなる。
また、蓋部５２のフック５２１を水平部材１６に係止することで、蓋部５２を取り外した状態を維持できるから、作業員の手間を削減できる。
【００３３】
なお、本発明は前記実施形態に限定されるものではなく、本発明の目的を達成できる範囲での変形、改良等は本発明に含まれるものである。
【符号の説明】
【００３４】
１…建物
１０…クリーンルーム
１１…壁
１２…天井
１３…中空パネル
１４…照明器具
１５…吊りボルト
１６…水平部材
２０…空調システム
２１…給気装置
２２…排気装置
２３…中空パネル排気装置
２４…制御装置
３０…周囲空間
４０…発光部
４１…蛍光管
４２…カバー部
５０…筐体
５１…本体
５２…蓋部
５３…透光部
５４…カバー部
１３１…天井面側のパネル材
１３２…天井裏側のパネル材
２１１…吹出口
２１２…配管
２１３…外気処理ユニット
２２１…吸込口
２２２…配管
２２３…排気ファン
２３１…配管
２３２…排気ファン
５２１…フック
５２２…支持ボルト
【図１】
0005586065.tif 000002
【図２】
0005586065.tif 000003
【図３】
0005586065.tif 000004
【図４】
0005586065.tif 000005
【図５】
0005586065.tif 000006